(57)【要約】【課題】この発明は、簡易な構成で、光ディスクの着脱を容易に行なうことができ、しかも、薄型化に好適する映像表示装置を提供することを目的としている。【解決手段】平面型の液晶表示パネル１４を有する薄型のキャビネット１２と、キャビネット１２を起立させて支持する支持台１３と、支持台１３に光ディスク２１を着脱する面２０ａが正面を向くように収容された光ディスクドライブ２０とを備える。【選択図】    図３
2006017937.tif 000002
【特許請求の範囲】
【請求項１】
平面型の表示パネルを有する薄型のキャビネットと、
前記キャビネットを起立させて支持するもので、前記キャビネットの正面側及び背面側にそれぞれ対応する位置に互いに平行に設置された第１及び第２のフレームと、前記第１及び第２のフレームの両端部同士を連結する第３及び第４のフレームとを有する枠状の支持台と、
前記支持台を構成する第１乃至第４のフレームによって囲まれた空間内に、ディスクを着脱する面が正面を向くように収容されるディスクドライブと、
前記ディスクドライブを前記第２のフレームに連結するもので、前記ディスクドライブを、そのディスクを着脱する面が、前記第１のフレームに対向する閉塞位置と、前記第１のフレームに非対向する開放位置とに移動可能とする連結手段とを具備することを特徴とする映像表示装置。
【請求項２】
平面型の表示パネルを有する薄型のキャビネットと、
前記キャビネットを起立させて支持するもので、前記キャビネットの正面側及び背面側にそれぞれ対応する位置に互いに平行に設置された第１及び第２のフレームと、前記第１及び第２のフレームの両端部同士を連結する第３及び第４のフレームとを有する枠状の支持台と、
前記支持台を構成する第１乃至第４のフレームによって囲まれた空間内に、ディスクを着脱する面が正面を向くように収容されるディスクドライブと、
前記ディスクドライブを前記第２のフレームに連結するもので、前記ディスクドライブを、そのディスクを着脱する面が前記第１のフレームに非対向する開放位置で固定する固定手段とを具備することを特徴とする映像表示装置。
【請求項３】
平面型の表示パネルを有する薄型のキャビネットと、
前記キャビネットを起立させて支持するもので、前記キャビネットの正面側及び背面側にそれぞれ対応する位置に互いに平行に設置された第１及び第２のフレームを含み、枠状に形成される支持台と、
前記支持台を構成する第１のフレームと第２のフレームとの間に、ディスクを着脱する面が正面を向くように収容されるディスクドライブと、
前記ディスクドライブを前記第２のフレームに連結するもので、前記ディスクドライブを、そのディスクを着脱する面が、前記第１のフレームに対向する閉塞位置と、前記第１のフレームに非対向する開放位置とに移動可能とする連結手段とを具備することを特徴とする映像表示装置。
【請求項４】
平面型の表示パネルを有する薄型のキャビネットと、
前記キャビネットを起立させて支持するもので、前記キャビネットの正面側及び背面側にそれぞれ対応する位置に互いに平行に設置された第１及び第２のフレームを含み、枠状に形成される支持台と、
前記支持台を構成する第１のフレームと第２のフレームとの間に、ディスクを着脱する面が正面を向くように収容されるディスクドライブと、
前記ディスクドライブを前記第２のフレームに連結するもので、前記ディスクドライブを、そのディスクを着脱する面が前記第１のフレームに非対向する開放位置で固定する固定手段とを具備することを特徴とする映像表示装置。
【請求項５】
前記第１のフレームに前記ディスクドライブを操作するための操作子を設置したことを特徴とする請求項１乃至４いずれかに記載の映像表示装置。
【請求項６】
平面型の表示パネルを有する薄型のキャビネットと、
前記キャビネットを起立させて支持する枠状の支持台と、
前記支持台が構成する空間内に、ディスクを着脱する面が正面を向くように収容されるディスクドライブと、
前記ディスクドライブを前記支持台に連結するもので、前記ディスクドライブを、そのディスクを着脱する面が、前記支持台に対向する閉塞位置と、前記支持台に非対向する開放位置とに移動可能とする連結手段とを具備することを特徴とする映像表示装置。
【請求項７】
平面型の表示パネルを有する薄型のキャビネットと、
前記キャビネットを起立させて支持する枠状の支持台と、
前記支持台が構成する空間内に、ディスクを着脱する面が正面を向くように収容されるディスクドライブと、
前記ディスクドライブを前記支持台に連結するもので、前記ディスクドライブを、そのディスクを着脱する面が前記支持台に非対向する開放位置で固定する固定手段とを具備することを特徴とする映像表示装置。
【請求項８】
前記支持台に前記ディスクドライブを操作するための操作子を設置したことを特徴とする請求項６または７記載の映像表示装置。
【請求項９】
平面型の表示パネルを有する薄型のキャビネットと、
前記キャビネットを起立させて支持する支持台と、
前記支持台にディスクを着脱する面が正面を向くように収容されたディスクドライブとを具備することを特徴とする映像表示装置。
【請求項１０】
前記ディスクドライブは、そのディスクを着脱する面が、前記支持台に対向する閉塞位置と、前記支持台に非対向する開放位置とに移動可能に支持されることを特徴とする請求項９記載の映像表示装置。
【請求項１１】
前記ディスクドライブは、そのディスクを着脱する面が、前記支持台に非対向する開放位置に固定されることを特徴とする請求項９記載の映像表示装置。
【請求項１２】
前記支持台に前記ディスクドライブを操作するための操作子を設置したことを特徴とする請求項９乃至１１いずれかに記載の映像表示装置。
【発明の詳細な説明】
【技術分野】
【０００１】
この発明は、例えば平面パネル型ディスプレイを搭載したテレビジョン受信機等のような薄型化された映像表示装置の改良に関する。
【背景技術】
【０００２】
周知のように、近年では、例えば液晶表示パネルやプラズマ表示パネル等を用いた平面パネル型ディスプレイが普及している。また、この種の平面パネル型ディスプレイとしては、映像投射型の、いわゆる、プロジェクタも普及する傾向にある。
【０００３】
そして、現在では、この種の平面パネル型ディスプレイをＣＲＴ（Cathode Ray Tube）に代えて使用することにより、薄型化されたテレビジョン受信機が開発され市場に普及してきている。
【０００４】
一方、現在では、平面パネル型ディスプレイを使用した薄型のテレビジョン受信機に、光ディスクに対して情報の記録または再生を行なうための光ディスクドライブを内蔵させることが考えられている。
【０００５】
この場合、特に肝要になることは、テレビジョン受信機の薄型化を損なうことなく、しかも、ユーザが、光ディスクドライブに対して光ディスクを容易に着脱することができる構成とすることである。
【０００６】
特許文献１には、記憶媒体を収容する記録再生ユニットを、筐体内で表示パネルと略平行な姿勢で支持するとともに、記憶媒体の着脱時には、表示パネルに対して正面側から記憶媒体を着脱可能とする位置に移動させるという複雑な構成が開示されている。
【特許文献１】特開２００２−１０１３６２号公報
【発明の開示】
【発明が解決しようとする課題】
【０００７】
そこで、この発明は上記事情を考慮してなされたもので、簡易な構成で、光ディスクの着脱を容易に行なうことができ、しかも、薄型化に好適する映像表示装置を提供することを目的とする。
【課題を解決するための手段】
【０００８】
この発明に係る映像表示装置は、平面型の表示パネルを有する薄型のキャビネットと、キャビネットを起立させて支持する支持台と、支持台にディスクを着脱する面が正面を向くように収容されたディスクドライブとを備えるようにしたものである。
【発明の効果】
【０００９】
上記した発明によれば、薄型のキャビネットを起立させて支持する支持台に、ディスクを着脱する面が正面を向くようにディスクドライブを収容させるようにしたので、簡易な構成で、光ディスクの着脱を容易に行なうことができ、しかも、薄型化に好適するものとなる。
【発明を実施するための最良の形態】
【００１０】
以下、この発明の実施の形態について図面を参照して詳細に説明する。図１は、この実施の形態で説明するテレビジョン受信機１１の外観を示している。また、図２は、このテレビジョン受信機１１を側面から見た状態を示している。
【００１１】
このテレビジョン受信機１１は、主として、キャビネット１２と、このキャビネット１２を支持する支持台１３とから構成されている。このうち、キャビネット１２は、薄型の略平板状に形成されている。
【００１２】
そして、このキャビネット１２には、その正面側に、液晶表示パネル１４と、電源スイッチ１５と、リモートコントローラ１６から送出された操作情報を受信するための受信部１７と、一対のスピーカ１８，１９とが配置されている。
【００１３】
一方、上記支持台１３は、４つのフレーム１３ａ〜１３ｄによって略四角形の枠状に形成されており、その上でキャビネット１２を起立させて安定に支持するように構成されている。
【００１４】
すなわち、支持台１３は、キャビネット１２を支持した状態で、その正面側及び背面側にそれぞれ対応する位置に互いに平行に設置された２つのフレーム１３ａ，１３ｂと、これら２つのフレーム１３ａ，１３ｂの両端部同士を連結する、互いに平行に設置された２つのフレーム１３ｃ，１３ｄとを一体化した構造を有している。
【００１５】
この支持台１３を構成するフレーム１３ａ〜１３ｄのうち、キャビネット１２の背面側に位置するフレーム１３ｂには、その中央部から略垂直に起立するアーム１３ｅが固定されている。
【００１６】
そして、上記キャビネット１２は、その背面がアーム１３ｅの先端部に連結機構１３ｆを介して回動自在に連結されることにより、支持台１３に支持されている。これにより、ユーザは、キャビネット１２を任意の方向に向けることが可能となる。
【００１７】
ここで、上記支持台１３の形成する空間、つまり、４つのフレーム１３ａ〜１３ｄで囲まれた空間の中央部には、ほぼ薄型の箱状に形成された光ディスクドライブ２０が収容されている。
【００１８】
この光ディスクドライブ２０は、例えばＤＶＤ（Digital Versatile Disk）等の光ディスクを着脱可能にするもので、装着された光ディスクに対して情報の記録または再生を行なう機能を備えている。具体的には、例えば、テレビジョン受信機１１で受信している番組を光ディスクに記録したり、光ディスクに記録されている番組を液晶表示パネル１４に映像表示させること等ができる。
【００１９】
この場合、光ディスクドライブ２０は、その光ディスクを着脱するための面、つまり、光ディスクを収容するための挿入孔の形成されている面２０ａを、キャビネット１２の正面側に位置するフレーム１３ａに対向させるようにして、支持台１３の形成する空間内に収容されている。
【００２０】
そして、この光ディスクドライブ２０は、その光ディスクを着脱するための面と反対側の面が、キャビネット１２の背面側に位置するフレーム１３ｂに、連結機構２０ｂを介して煽り方向、つまり、図２に矢印Ａ，Ｂで示す方向に回動自在となるように連結されている。
【００２１】
このため、上記光ディスクドライブ２０を矢印Ａで示す方向に回動させることにより、図３及び図４に示すように、光ディスクドライブ２０の光ディスクを着脱するための面２０ａが露出され、その面２０ａに形成された挿入孔２０ｃに対して光ディスク２１を挿抜することができる。
【００２２】
この場合、上記光ディスクドライブ２０は、図１及び図２に示すように、その挿入孔２０ｃを有する面２０ａをフレーム１３ａに対向させた閉塞位置と、図３及び図４に示すように、挿入孔２０ｃを有する面２０ａをフレーム１３ａに非対向させた開放位置とに、ユーザによって移動可能となされ、それぞれの位置で機械的にクリック感を伴なって安定に保持されるように、連結機構２０ｂによって支持されている。
【００２３】
そして、光ディスクドライブ２０を開放位置に移動させ、その挿入孔２０ｃに光ディスク２１を挿入して、リモートコントローラ１６を操作することにより、光ディスク２１に対して情報の記録または再生を行なうことができる。
【００２４】
この場合、光ディスクドライブ２０は、閉塞位置と開放位置とのいずれの位置にあっても、光ディスク２１に対して情報の記録または再生を行なうことが可能となっている。なお、光ディスク２１の着脱時以外は、閉塞位置にしておく方が、挿入孔２０ｃへの塵埃等の侵入を防ぐことができる。
【００２５】
上記した実施の形態によれば、薄型の略平板状に形成されたキャビネット１２を起立させて支持するための、略四角形の枠状に形成された支持台１３の構成する空間内に、光ディスクドライブ２０を収容するようにしたので、キャビネット１２の薄型化を何ら損なうことなく、光ディスクドライブ２０を搭載することができる。
【００２６】
また、光ディスクドライブ２０は、その光ディスク２１を挿抜するための挿入孔２０ｃの形成されている面２０ａが、液晶表示パネル１４の表示面の向く方向とほぼ同方向、つまり、正面側を向くように設置されているので、ユーザによる光ディスク２１の着脱作業も容易化することができる。
【００２７】
さらに、このような薄型化されたキャビネット１２では、図５に示すように、液晶表示パネル１４の背面側に、信号処理系の構成された印刷配線基板２２を、液晶表示パネル１４とほぼ平行になるように設置している。これにより、液晶表示パネル１４が発生する熱が、印刷配線基板２２の両面に形成される空間を介して、煙突効果により上方に抜けるようにしている。
【００２８】
このため、キャビネット１２よりも下側に位置する支持台１３内に光ディスクドライブ２０を収容することは、光ディスクドライブ２０を構成する、例えば半導体レーザ等の各種半導体素子が熱による影響を受け難くなり、実用に適するものとなる。
【００２９】
また、光ディスクドライブ２０を閉塞位置と開放位置とに移動させる手段としては、例えば、弾性部材による付勢力を利用する手法や、モータ等の電動力を利用する手法も考えられる。
【００３０】
例えば、弾性部材を利用する手法では、光ディスクドライブ２０を板ばね等によって閉塞位置から開放位置に向けて付勢しておき、プッシュプッシュ機構等により閉塞位置で保持させる。
【００３１】
そして、光ディスクドライブ２０は、ユーザによって一旦矢印Ｂ方向に押されることで保持が解除され、付勢力により開放位置に移動される。また、開放位置にある光ディスクドライブ２０は、ユーザが付勢力に抗して閉塞位置に移動させることにより保持される。
【００３２】
一方、電動力を利用する手法では、モータの回転力により、光ディスクドライブ２０を閉塞位置と開放位置との間で移動可能とするように構成しておき、ユーザがリモートコントローラ１６のキー操作を行なって、モータを性方向または逆方向に駆動させることにより実現可能である。
【００３３】
また、光ディスクドライブ２０は、必ずしも、閉塞位置と開放位置との間を移動させるようにする必要はなく、例えば、図６に示すように、フレーム１３ｂに固定具２０ｄを用いて、開放位置で固定化してしまうようにしても良いものである。
【００３４】
また、図７に示すように、支持台１３のうちキャビネット１２の正面側に位置するフレーム１３ａに、テレビジョン受信機１１や光ディスクドライブ２０等を操作するための各種の操作子２３を設置するようにすれば、省スペース化を図ることができ、小型化を促進させることが可能となる。
【００３５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３６】
【図１】この発明の実施の形態を示すもので、テレビジョン受信機の外観を説明するために示す斜視図。
【図２】同実施の形態におけるテレビジョン受信機の要部を説明するために示す側面図。
【図３】同実施の形態におけるテレビジョン受信機の要部を詳細に説明するために示す斜視図。
【図４】同実施の形態におけるテレビジョン受信機の要部を詳細に説明するために示す側面図。
【図５】同実施の形態におけるテレビジョン受信機の放熱効果を詳細に説明するために示す側面図。
【図６】同実施の形態におけるテレビジョン受信機の変形例を説明するために示す側面図。
【図７】同実施の形態におけるテレビジョン受信機の他の変形例を説明するために示す斜視図。
【符号の説明】
【００３７】
１１…テレビジョン受信機、１２…キャビネット、１３…支持台、１４…液晶表示パネル、１５…電源スイッチ、１６…リモートコントローラ、１７…受信部、１８，１９…スピーカ、２０…光ディスクドライブ、２１…光ディスク、２２…印刷配線基板、２３…操作子。
【図１】
2006017937.tif 000003
【図２】
2006017937.tif 000004
【図３】
2006017937.tif 000005
【図４】
2006017937.tif 000006
【図５】
2006017937.tif 000007
【図６】
2006017937.tif 000008
【図７】
2006017937.tif 000009